(57)【要約】【課題】情報処理装置の省電力化を実現する。【解決手段】情報処理装置は、表示装置に表示される画面に対する、過去の操作の有無に関する操作実績を取得する取得部を有する。情報処理装置は、画面に対する操作実績があると判定された場合には第１の電力モードを設定する電力制御部を有する。さらに、電力制御部は、画面に対する操作実績がないと判定された場合は、第１の電力モードよりも電力消費が小さい第２の電力モードを設定する。【選択図】図３
2019074815.tif 000002
【特許請求の範囲】
【請求項１】
表示装置に表示される画面に対する、過去の操作の有無に関する操作実績を取得する取得部と、
前記画面に対する前記操作実績があると判定された場合には第１の電力モードを設定し、前記画面に対する前記操作実績がないと判定された場合は、前記第１の電力モードよりも電力消費が小さい第２の電力モードを設定する電力制御部と、
を有することを特徴とする情報処理装置。
【請求項２】
前記表示装置とは異なる位置に設置されたセンサを通じて、ユーザによる前記画面に対する操作を検出する検出部をさらに有し、
前記取得部は、前記操作が検出された場合に、前記操作実績を取得することを特徴とする請求項１に記載の情報処理装置。
【請求項３】
前記電力制御部は、前記第２の電力モードにおいて、前記センサのスキャン間隔を前記第１の電力モードにおけるスキャン間隔よりも長くする設定と、前記画面に対する操作に対応するイベント発生時のプロセッサのクロック周波数を、前記第１の電力モードにおける前記クロック周波数よりも低くする設定とのうち、少なくともいずれかを設定することを特徴とする請求項２に記載の情報処理装置。
【請求項４】
前記検出部は、前記操作として、前記ユーザによる前記画面に対するスクロール操作を検出し、
前記取得部は、前記操作実績として、前記画面に対するスクロール操作の実績を取得することを特徴とする請求項２又は３に記載の情報処理装置。
【請求項５】
前記取得部は、前記第２の電力モードが設定されている場合において、前記画面に対する操作が検出された場合における、前記操作に対応するイベントに対するコールバックが発生したか否かをさらに判定し、
前記電力制御部は、前記コールバックが発生したと判定された場合に、前記第１の電力モードを設定することを特徴とする請求項１乃至４のいずれか１つに記載の情報処理装置。
【請求項６】
前記操作実績に関する情報を記憶する実績記憶部をさらに有し、
前記取得部は、前記画面に対する操作が検出された場合における、前記操作に対応するイベントに対するコールバックが発生したか否かをさらに判定し、前記コールバックが発生したと判定した場合に、前記イベントに対応する操作に関する前記操作実積を前記実績記憶部に記憶することを特徴とする請求項１乃至５のいずれか１つに記載の情報処理装置。
【請求項７】
前記コールバックの発生の有無に応じて、前記表示装置に、前記画面に対する操作の可否に関する情報を表示させる表示制御部をさらに有することを特徴とする請求項６に記載の情報処理装置。
【請求項８】
前記実績記憶部は、前記操作実績に関する情報として、前記画面のバージョンに関する情報をさらに記憶し、
前記電力制御部は、前記バージョンが一致する前記画面に対する前記操作実績に関する情報が前記実績記憶部に記憶されている場合に、前記操作実績があると判定することを特徴とする請求項６又は７に記載の情報処理装置。
【請求項９】
コンピュータが、
表示装置に表示される画面に対する、過去の操作の有無に関する操作実績を取得し、
前記画面に対する前記操作実績があると判定された場合には第１の電力モードを設定し、前記画面に対する前記操作実績がないと判定された場合は、前記第１の電力モードよりも電力消費が小さい第２の電力モードを設定する
処理を行うことを特徴とする電力制御方法。
【請求項１０】
コンピュータに、
表示装置に表示される画面に対する、過去の操作の有無に関する操作実績を取得し、
前記画面に対する前記操作実績があると判定された場合には第１の電力モードを設定し、前記画面に対する前記操作実績がないと判定された場合は、前記第１の電力モードよりも電力消費が小さい第２の電力モードを設定する
処理を行わせることを特徴とする電力制御プログラム。
【発明の詳細な説明】
【技術分野】
【０００１】
本発明は、情報処理装置、電力制御方法及び電力制御プログラムに関する。
【背景技術】
【０００２】
携帯端末の画面スクロールを容易にする技術が知られている。例えば、装置の側面に設けられた指紋認証センサを通じてセンサ面上の使用者の指のＸ、Ｙ方向の移動をユーザのスクロール操作又はカーソル移動操作の操作入力として認識する携帯端末装置が知られている。
【０００３】
また、接触式のセンサによるバッテリ電力の消費を軽減する携帯情報端末装置も知られている。当該装置は、多数のセンサが直線的に配列されたセンサモジュールを複数備える。ユーザが当該装置のセンサモジュールのセンサに触れると、当該装置は、触れているセンサとその近傍のセンサだけに通電して、ユーザからの入力を受け付けるようにし、同一センサモジュール上の残るセンサについては通電しないようにする。
【先行技術文献】
【特許文献】
【０００４】
【特許文献１】特開２００５−３０１６５８号公報
【特許文献２】特開２００９−２１７６１２号公報
【発明の概要】
【発明が解決しようとする課題】
【０００５】
上記技術においては、指紋認証センサにおいてスクロール操作を検出するために、センサのスキャン間隔を短く設定するので、電力消費が大きくなることがある。一方で、一部のセンサだけを通電し、他のセンサには通電しないような構成においては、スクロール処理に時間を要する場合がある。
【０００６】
一つの側面では、省電力化を実現できる情報処理装置、電力制御方法及び電力制御プログラムを提供することを目的とする。
【課題を解決するための手段】
【０００７】
一つの態様において、情報処理装置は、表示装置に表示される画面に対する、過去の操作の有無に関する操作実績を取得する取得部を有する。情報処理装置は、画面に対する操作実績があると判定された場合には第１の電力モードを設定し、画面に対する操作実績がないと判定された場合は、第１の電力モードよりも電力消費が小さい第２の電力モードを設定する電力制御部を有する。
【発明の効果】
【０００８】
一つの態様によれば、省電力化を実現できる。
【図面の簡単な説明】
【０００９】
【図１】図１は、携帯端末の全体構成を示す図である。
【図２】図２は、携帯端末のハードウェア構成例を示す図である。
【図３】図３は、実施例１における携帯端末の機能ブロックの一例を示す図である。
【図４】図４は、実施例１における履歴ＤＢの一例を示す図である。
【図５】図５は、実施例１における電力設定ＤＢの一例を示す図である。
【図６】図６は、実施例１における電力制御処理の一例を示すフローチャートである。
【図７】図７は、実施例２における携帯端末の機能ブロックの一例を示す図である。
【図８】図８は、実施例２における電力制御処理の一例を示すフローチャートである。
【発明を実施するための形態】
【００１０】
以下に、本願の開示する情報処理装置、電力制御方法及び電力制御プログラムの実施例を図面に基づいて詳細に説明する。なお、この実施例によりこの発明が限定されるものではない。また、以下に示す各実施例は、矛盾を起こさない範囲で適宜組み合わせても良い。
【実施例１】
【００１１】
本実施例における電力制御方法は、例えば携帯端末などの情報処理装置により実行される。図１は、携帯端末の全体構成を示す図である。図１に示すように、本実施例における携帯端末１０は、例えばスマートフォンなどの携帯可能なコンピュータであるが、これに限られず、携帯電話やタブレットなどのその他のコンピュータでもよく、また据置型のコンピュータであってもよい。なお、携帯端末１０は、情報処理装置の一例である。
【００１２】
図１に示す携帯端末１０は、タッチパネル９とは異なる位置、例えば携帯端末１０の側面部に、センサ２を有する。タッチパネル９は、後に説明する画面表示を行う表示装置３と、後に説明するユーザ操作を受け付けるタッチセンサ４とを兼ねる装置の一例である。
【００１３】
センサ２は、携帯端末１０の側面部など、ユーザが操作しやすい位置に設置されるセンサデバイスである。例えば、ユーザが右手で携帯端末１０を操作するときは、親指が携帯端末１０と接する位置または当該位置の周辺に設置される。また、ユーザが左手で携帯端末１０を操作するときは、人差し指が携帯端末１０と接する位置または当該位置の周辺に設置される。なお、センサ２の設置位置は、携帯端末１０の側面に限られず、他の場所であってもよい。
【００１４】
また、センサ２は、指が接触したか否かを検出するセンサに加え、指紋を読み取る指紋センサとして機能することもできる。例えば、携帯端末１０は、センサ２を用いて指紋認証を実行するとともに、センサ２を用いて画面の表示制御を実行する。また、センサ２は、指の移動（距離、方向）を検出することができる。これにより、センサ２は、ユーザによる、表示装置３に表示される画面のスクロールなどの操作を受け付けることができる。なお、以下において、表示装置３に表示されている画面を「表示中の画面」と表記する場合がある。
【００１５】
センサ２においてスクロール操作を受け付ける際、スクロール処理をスムーズに行わせるために、例えばセンサ２のスキャン間隔を短く設定し、また画面を更新するためにプロセッサの処理速度を上げることが好ましい。一方で、センサ２のスキャン間隔を短く設定し、また画面を更新するためにプロセッサの処理速度を上げることで、携帯端末１０の電力消費は大きくなる。
【００１６】
そこで、携帯端末１０は、表示画面での過去のスクロール実績を参照し、スクロール実績がある画面ではスクロール操作への反応と画面描写を高速化するモードとし、その他の画面では省電力モードとする。これにより、携帯端末１０は、省電力化を実現できる。なお、以下においては画面に対するスクロール操作実績を用いる例について説明するが、これに限られず、画面の拡大縮小などのその他の画面に対する操作実績を用いて、電力モードを変更してもよい。
【００１７】
図１に示す携帯端末１０のハードウェア構成について、図２を用いて説明する。図２は、携帯端末のハードウェア構成例を示す図である。図２に示すように、携帯端末１０は、無線装置１と、センサ２と、表示装置３と、タッチセンサ４と、記憶装置５と、プロセッサ６とを有する。また、無線装置１にはアンテナ１ａが接続される。
【００１８】
無線装置１は、例えばネットワークインタフェースカードなどの通信インタフェースであり、アンテナ１ａを通じて無線通信を行う。センサ２は、ユーザによる表示中の画面に対するスクロールなどの操作を受け付ける。表示装置３は、画面を表示させる。タッチセンサ４は、表示中の画面に対する、ユーザによるタップやスワイプ、フリックなどの操作を受け付ける。記憶装置５は、後に説明する各機能部の説明時に示す処理部を動作させるプログラムやＤＢ等を記憶する。
【００１９】
プロセッサ６は、各処理部と同様の処理を実行するプログラムを記憶装置５等から読み出すことで、後に説明する各機能を実行するプロセスを動作させる。
【００２０】
このように携帯端末１０は、プログラムを読み出して実行することで、以下に説明する電力制御方法を実行する。また、携帯端末１０は、媒体読取装置によって記録媒体から上記プログラムを読み出し、読み出された上記プログラムを実行することで上記した実施例と同様の機能を実現することもできる。なお、この他の実施例でいうプログラムは、携帯端末１０によって実行されることに限定されるものではない。例えば、他のコンピュータまたはサーバがプログラムを実行する場合や、これらが協働してプログラムを実行するような場合にも、本発明を同様に適用することができる。
【００２１】
［機能ブロック］
次に、図１に示す携帯端末１０の機能構成について、図３を用いて説明する。図３は、実施例１における携帯端末の機能ブロックの一例を示す図である。図３に示すように、本実施例における携帯端末１０は、記憶部１２０と、制御部１３０とを有する。
【００２２】
記憶部１２０は、例えば制御部１３０が実行するプログラムなどの各種データなどを記憶する。また、記憶部１２０は、履歴ＤＢ１２１及び電力設定ＤＢ１２２を有する。記憶部１２０は、ＲＡＭ（Random  Access  Memory）、ＲＯＭ（Read  Only  Memory）、フラッシュメモリなどの半導体メモリ素子や、ＨＤＤ（Hard  Disk  Drive）などの記憶装置に対応する。なお、以下の説明では、データベースを「ＤＢ」と表記する場合がある。
【００２３】
履歴ＤＢ１２１は、表示装置３において過去に表示された画面のうち、例えば画面に対する操作を受け付け、かつ当該操作に対応する処理が有効に行われた実績のある画面に関する情報を記憶する。図４は、実施例１における履歴ＤＢの一例を示す図である。図４に示すように、履歴ＤＢ１２１は、例えば、「Activity」と、「リソースＩＤ」と、「バージョン情報」とを対応付けて記憶する。なお、履歴ＤＢ１２１は、実績記憶部の一例であり、履歴ＤＢ１２１に記憶された各レコードは、操作実績を示す情報の一例である。
【００２４】
図４において、「Activity」は、画面の提供元であるサービスのＵＲＬ、及びサービスを呼び出すアプリケーションの種類を示す。「リソースＩＤ（IDentifier）」は、当該サービスが提供する画面を一意に識別する識別子を示す。「バージョン情報」は、「Activity」及び「リソースＩＤ」により特定される画面のバージョンを示す。
【００２５】
なお、「Activity」及び「リソースＩＤ」が同じ画面であっても、バージョンの違いに応じて、画面に対する操作ができる場合とできない場合が分かれることがある。そこで、本実施例における履歴ＤＢ１２１は、「バージョン情報」をさらに記憶する。
【００２６】
本実施例において、履歴ＤＢ１２１には、携帯端末１０において過去に表示された画面のうち、センサ２を通じてユーザからスクロール操作を受け付け、また操作に対応するスクロール処理が行われた画面に関する情報が記憶される。なお、履歴ＤＢ１２１に記憶される情報は、例えば後に説明する取得部１３２により入力される。
【００２７】
電力設定ＤＢ１２２は、携帯端末１０に設定される電力モードの性能に関する情報を記憶する。図５は、実施例１における電力設定ＤＢの一例を示す図である。図５に示すように、電力設定ＤＢ１２２は、例えば、「スキャン間隔」と、「クロック周波数」とを、「モード」に対応付けて記憶する。なお、電力設定ＤＢ１２２に記憶される情報は、例えば携帯端末１０の製造時に予め設定される。
【００２８】
図５において、「モード」は、電力モードの種類を示す。「スキャン間隔」は、当該モードにおける、センサ２においてユーザによる操作をスキャンする時間の間隔を示す。「クロック周波数」は、当該モードにおける、携帯端末１０のプロセッサ６の動作周波数を示す。
【００２９】
例えば、図５に示す電力設定ＤＢ１２２は、「高性能モード」におけるセンサ２のスキャン間隔は「１８ミリ秒（ｍｓ）」であり、クロック周波数は「２．４ＧＨｚ」であることを記憶する。なお、図５に示す「高性能モード」は、第１の電力モードの一例であり、「省電力モード」は、第２の電力モードの一例である。
【００３０】
図３に戻って、制御部１３０は、携帯端末１０の全体的な処理を司る処理部である。制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。
【００３１】
制御部１３０は、センサ検出部１３１、取得部１３２及び電力制御部１３３を有する。なお、センサ検出部１３１、取得部１３２及び電力制御部１３３は、プロセッサが有する電子回路の一例やプロセッサが実行するプロセスの一例である。
【００３２】
センサ検出部１３１は、センサ２が受け付けた、携帯端末１０のユーザによる画面に対する操作を検出する。センサ検出部１３１は、例えばセンサ２からスクロール操作などの画面に対する操作に関する情報の出力を受けると、操作に関する情報を取得部１３２及び電力制御部１３３に出力する。なお、センサ検出部１３１は、検出部の一例である。
【００３３】
取得部１３２は、表示中の画面に関する操作実績を取得する。取得部１３２は、センサ検出部１３１から操作に関する情報の出力を受けると、履歴ＤＢ１２１を参照し、現時点で表示装置３に表示されている画面とActivity、リソースＩＤ及びバージョン情報が一致するレコードを検索する。取得部１３２は、該当するレコードがヒットしたか否かを示す情報を、電力制御部１３３に出力する。
【００３４】
また、取得部１３２は、表示中の画面において、操作に関する情報に対するコールバックが発生したか否かを判定する。取得部１３２は、コールバックが発生したと判定した場合、スクロール操作に対応するスクロール処理が行われたと判定できるので、現時点で表示装置３に表示されている画面に対応するActivity、リソースＩＤ及びバージョン情報を取得し、履歴ＤＢ１２１に記憶する。
【００３５】
電力制御部１３３は、画面に対する操作実績に基づいて、携帯端末１０の電力モードを設定する。電力制御部１３３は、例えば取得部１３２から、履歴ＤＢ１２１において該当するレコードがヒットしたことを示す情報、すなわち現時点で表示装置３に表示されている画面に対する操作実績があることを示す情報の出力を受けたか否かを判定する。
【００３６】
電力制御部１３３は、操作実績があることを示す情報の出力を受けたと判定した場合、電力モードを「高性能モード」に設定する。一方、電力制御部１３３は、操作実績がないことを示す情報の出力を受けたと判定した場合、電力モードを「省電力モード」に設定する。なお、電力制御部１３３は、操作実績があることを示す情報の出力を受けることなくタイムアウトした場合、電力モードを「省電力モード」に設定してもよい。
【００３７】
［処理の流れ］
次に、本実施例における処理について、図６を用いて説明する。図６は、実施例１における電力制御処理の一例を示すフローチャートである。なお、以下においては、センサ検出部１３１が表示中の画面に対するスクロール操作を検出し、履歴ＤＢ１２１がスクロール操作の実績がある画面に関する情報を記憶する場合について説明する。
【００３８】
図６に示すように、携帯端末１０の取得部１３２は、表示中の画面の切り替えを検出するまで待機する（Ｓ１００：Ｎｏ）。取得部１３２は、画面の切り替えを検出したと判定した場合（Ｓ１００：Ｙｅｓ）、履歴ＤＢ１２１を参照し、対応する履歴、例えば表示中の画面とActivity、リソースＩＤ及びバージョン情報が一致するレコードを検索する（Ｓ１０１）。取得部１３２は、レコードの検索結果を、電力制御部１３３に出力する。
【００３９】
電力制御部１３３は、取得部１３２から、該当するレコードがヒットした、すなわち表示中の画面のスクロール履歴があるか否かを判定する（Ｓ１１０）。電力制御部１３３は、画面のスクロール履歴がないと判定した場合（Ｓ１１０：Ｎｏ）、電力モードを「省電力モード」に設定し（Ｓ１１１）、処理を終了する。一方、電力制御部１３３は、画面のスクロール履歴があると判定した場合（Ｓ１１０：Ｙｅｓ）、電力モードを「高性能モード」に設定し（Ｓ１１２）、処理を終了する。
【００４０】
［効果］
以上説明したように、本実施例における情報処理装置は、表示装置に表示される画面に対する、過去の操作の有無に関する操作実績を取得する取得部を有する。情報処理装置は、画面に対する操作実績があると判定された場合には第１の電力モードを設定し、画面に対する操作実績がないと判定された場合は、第１の電力モードよりも電力消費が小さい第２の電力モードを設定する電力制御部を有する。これにより、情報処理装置は、省電力化を実現できる。
【００４１】
また、本実施例における情報処理装置は、表示装置とは異なる位置に設置されたセンサを通じて、ユーザによる画面に対する操作が検出された場合に、操作実績を取得してもよい。これにより、タッチパネル９に設けられたタッチセンサ４とは異なるセンサ２を用いた操作に対応できる。
【００４２】
また、本実施例における情報処理装置は、第２の電力モードにおいて、センサのスキャン間隔を第１の電力モードにおけるスキャン間隔よりも長くするように設定してもよい。また、情報処理装置は、画面に対する操作に対応するイベント発生時のプロセッサのクロック周波数を、第１の電力モードにおけるクロック周波数よりも低くするように設定してもよい。これにより、操作の可否に応じた最適な電力状態を設定できる。
【００４３】
また、本実施例における情報処理装置は、ユーザによる画面に対するスクロール操作を検出し、画面に対するスクロール操作の実績を取得してもよい。これにより、スクロール操作の可否に応じて、最適な電力状態を設定できる。
【００４４】
さらに、本実施例における情報処理装置は、操作実績に関する情報を記憶する実績記憶部をさらに有してもよい。また、実績記憶部は、画面のバージョンに関する情報をさらに記憶し、バージョンが一致する画面に対する操作実績が実績記憶部に記憶されている場合に、操作実績があると判定してもよい。これにより、バージョンの違いにより画面に対する操作の可否が異なる場合においても、画面に適した電力モードを設定できる。
【実施例２】
【００４５】
上記の実施例に加えて、電力制御処理において、情報処理装置が、表示装置３に表示されている画面に対応するコールバックを用いて電力モードを制御するような構成であってもよい。また、情報処理装置は、ユーザに対して、画面に対する操作の可否を示す情報を出力してもよい。
【００４６】
［機能ブロック］
本実施例における情報処理装置は、実施例１における携帯端末１０と同様のコンピュータにより実現できる。図７は、実施例２における携帯端末の機能ブロックの一例を示す図である。なお、以下の実施例において、先に説明した図面に示す部位と同一の部位には同一の符号を付し、重複する説明は省略する。
【００４７】
図７に示すように、本実施例における携帯端末２０は、記憶部１２０と、制御部２３０とを有する。制御部２３０は、携帯端末２０の全体的な処理を司る処理部である。制御部２３０は、例えば、ＣＰＵやＭＰＵ等によって、内部の記憶装置に記憶されているプログラムがＲＡＭを作業領域として実行されることにより実現される。また、制御部２３０は、例えば、ＡＳＩＣやＦＰＧＡ等の集積回路により実現されるようにしてもよい。
【００４８】
制御部２３０は、センサ検出部１３１、取得部２３２、電力制御部２３３及び表示制御部２３４を有する。なお、センサ検出部１３１、取得部２３２、電力制御部２３３及び表示制御部２３４は、プロセッサが有する電子回路の一例やプロセッサが実行するプロセスの一例である。
【００４９】
本実施例における取得部２３２は、現時点で表示装置３に表示されている画面に対するスクロールイベントが発生した場合、当該イベントに対応するコールバックが発生したか否かを判定する。取得部２３２は、コールバックが発生したか否かを判定した結果に関する情報を、電力制御部２３３及び表示制御部２３４に出力する。
【００５０】
電力制御部２３３は、操作実績がないことを示す情報の出力を受けたと判定した場合、取得部２３２からコールバックが発生したことを示す情報の出力を受けたか否かをさらに判定する。電力制御部２３３は、操作実績がないことを示す情報の出力を受けたと判定した場合であっても、コールバックが発生したことを示す情報の出力を受けたと判定した場合、電力モードを「高性能モード」に設定する。
【００５１】
表示制御部２３４は、画面に対する操作の可否に関する情報を出力する。表示制御部２３４は、画面に対する操作に対するコールバックが発生した場合、表示装置３に、画面に対するスクロール処理が可能であることを示す情報を表示させる。一方、表示制御部２３４は、画面に対する操作に対するコールバックが発生しなかった場合、表示装置３に、画面に対するスクロール処理が不能であることを示す情報を表示させる。例えば、表示制御部２３４は、スクロール不能である場合には「×」印などのアイコンを表示させ、又は効果音等を発生させてもよい。なお、表示制御部２３４は、画面に対する操作実績があると判定された場合についても、表示装置３に、画面に対するスクロール処理が可能であることを示す情報を表示させてもよい。
【００５２】
［処理の流れ］
次に、本実施例における処理について、図８を用いて説明する。図８は、実施例２における電力制御処理の一例を示すフローチャートである。なお、以下の説明において、図６に示すステップと同じ符号については同様のステップであるため、詳細な説明を省略する。
【００５３】
図８に示すように、本実施例における携帯端末２０の取得部２３１は、「省電力モード」が設定された場合において、センサ検出部１３１において画面に対するスクロール操作に対応するイベントが検出されるまで待機する（Ｓ１２０：Ｎｏ）。取得部２３１は、イベントが検出されたと判定した場合（Ｓ１２０：Ｙｅｓ）、スクロール操作の対象となる画面から当該イベントに対するコールバックが発生したか否かを判定する（Ｓ１３０）。
【００５４】
取得部２３１は、コールバックが発生したと判定した場合（Ｓ１３０：Ｙｅｓ）、履歴ＤＢ１２１を、現時点で表示装置３に表示されている画面に関する情報を用いて更新する（Ｓ１３２）。また、取得部２３１は、電力制御部２３３及び表示制御部２３４に、コールバックが発生したことを示す情報を出力する。
【００５５】
電力制御部２３３は、コールバックが発生したことを示す情報の出力を受けると、電力モードを「高性能モード」に設定する（Ｓ１１２）。そして、表示制御部２３４は、コールバックが発生したことを示す情報の出力を受けると、表示装置３に、画面に対するスクロール処理が可能であることを通知し、（Ｓ１１３）、処理を終了する。なお、表示制御部２３４は、Ｓ１１０においてスクロール履歴があると判定された場合においても同様に、表示装置３に、画面に対するスクロール処理が可能であることを示す情報を表示させてもよい。
【００５６】
一方、取得部２３１は、コールバックが発生しなかったと判定した場合（Ｓ１３０：Ｎｏ）、表示制御部２３４にコールバックが発生しなかったことを示す情報を出力する。表示制御部２３４は、コールバックが発生しなかったことを示す情報の出力を受けると、表示装置３に、画面に対するスクロール処理が不能であることを通知し（Ｓ１３１）、処理を終了する。
【００５７】
［効果］
以上説明したように、本実施例における情報処理装置は、第２の電力モードが設定されている場合において、画面に対する操作が検出された場合における、操作に対応するイベントに対するコールバックが発生したか否かをさらに判定する。本実施例における情報処理装置は、コールバックが発生したと判定された場合に第１の電力モードを設定する。これにより、操作実績のない画面においても、画面に対する操作の可否に応じて、最適な電力状態を設定できる。
【００５８】
また、本実施例における情報処理装置は、画面に対する操作が検出された場合における、操作に対応するイベントに対するコールバックが発生したか否かをさらに判定し、コールバックが発生したと判定した場合に、イベントに対応する操作に関する操作実積を実績記憶部に記憶してもよい。これにより、画面に対する操作履歴をリアルタイムで更新できる。
【００５９】
また、本実施例における情報処理装置は、コールバックの発生の有無に応じて、表示装置に、画面に対する操作の可否に関する情報を表示させる表示制御部をさらに有してもよい。これにより、スクロール操作の可否をユーザに提示できる。
【実施例３】
【００６０】
さて、これまで本発明の実施例について説明したが、本発明は上述した実施例以外にも、種々の異なる形態にて実施されてよいものである。例えば、履歴ＤＢ１２１及び電力設定ＤＢ１２２に記憶される情報は一例であり、履歴ＤＢ１２１が、当該画面に対して行われた、スクロールや画面の拡大、縮小などの操作の種類をさらに記憶してもよい。また、履歴ＤＢ１２１は、当該画面に対して操作が行われた日時や、操作が行われた回数などをさらに記憶してもよい。
【００６１】
また、電力設定ＤＢ１２２が、画面の更新間隔や、モードが適用される電池残量の条件などのその他の情報を記憶してもよい。これにより、表示される画面がスクロール操作の実績がある画面であっても、例えば携帯端末１０の電池残量が「１５％」以下である場合は「省電力モード」を維持するなど、より状況に即した電力モードを設定できる。
【００６２】
さらに、上記の実施例においては、電力設定ＤＢ１２２が「高性能モード」と「省電力モード」との２つのモードに関する情報を記憶する例を示したが、これに限られず、電力設定ＤＢ１２２が３つ以上のモードに関する情報を記憶してもよい。また、電力設定ＤＢ１２２は、モードに対応する性能を段階分けした形で記憶する代わりに、例えばモードが連続的に変化させるように性能の変化を規定した数式等を記憶してもよい。
【００６３】
また、電力制御部１３３及び２３３は、履歴ＤＢ１２１に記憶した情報のうち全部を用いる代わりに、例えば「バージョン情報」を除く情報等、一部の情報を用いて操作実績の有無を判定してもよい。
【００６４】
なお、表示装置とは異なる位置に設置されたセンサとして、携帯端末１０の側面部に取り付けられたセンサ２を用いる構成について説明したが、実施の形態はこれに限られない。例えば、センサ２は、視線センサ、加速度センサ、ジャイロセンサ等の携帯端末１０に搭載されたその他のセンサであってもよく、また外部に接続されたマウスなどの操作デバイスであってもよい。
【００６５】
［システム］
また、各実施例において説明した各処理のうち、自動的におこなわれるものとして説明した処理の一部を手動的におこなうこともできる。あるいは、手動的におこなわれるものとして説明した処理の一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６６】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。例えば、図７に示す電力制御部２３３と表示制御部２３４とを統合してもよい。また、図３に示す取得部１３２を、履歴ＤＢ１２１からレコードを取得する処理部とコールバックの発生を検出する処理部とに分散してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００６７】
１０、２０  携帯端末
１２０  記憶部
１２１  履歴ＤＢ
１２２  電力設定ＤＢ
１３０、２３０  制御部
１３１  センサ検出部
１３２、２３２  取得部
１３３、２３３  電力制御部
２３４  表示制御部
【図１】
2019074815.tif 000003
【図２】
2019074815.tif 000004
【図３】
2019074815.tif 000005
【図４】
2019074815.tif 000006
【図５】
2019074815.tif 000007
【図６】
2019074815.tif 000008
【図７】
2019074815.tif 000009
【図８】
2019074815.tif 000010